(57)【要約】【課題】ノズルの先端部から噴出される塗料等の液体が、ワークに当たって跳ね返り、キャップの連通孔周縁部に付着してしまうといったおそれを防止することのできるスプレー用キャップを提供する。【解決手段】塗料を噴霧化して吹付けるスプレーガンのノズル３３に対応してキャップ３４が取着されている。キャップ３４は、ノズル３３の先端部を挿通可能な連通孔４２を有する底壁部４１と、底壁部４１の周縁部から液体の噴出方向に向けて延びる側壁部４３とを備えている。側壁部４３は、圧縮空気供給源と連通し、圧縮空気供給源からの空気を塗料の噴出流に向けて案内することでスプレーパターンを形成する空気孔４５を具備している。側壁部４３は、空気孔４５の形成位置よりも底壁部４１側において、圧縮空気供給源と連通し、圧縮空気供給源からの空気を連通孔４２及びその周縁部のうち少なくとも一方に向けて案内するエアパージ孔４６を具備している。【選択図】      図２
2007196134.tif 000002
【特許請求の範囲】
【請求項１】
ワークに対して液体を噴霧化して吹付けるスプレー装置のノズルに対応して取着されるスプレー用キャップであって、
ノズルの先端部を挿通可能な連通孔を有する底壁部と、
前記底壁部の周縁部から液体の噴出方向に向けて延びる突出部とを備え、
前記突出部は、圧縮空気供給源と連通し、当該圧縮空気供給源からの空気を前記連通孔及びその周縁部のうち少なくとも一方に向けて案内するエアパージ孔を具備することを特徴とするスプレー用キャップ。
【請求項２】
ワークに対して液体を噴霧化して吹付けるスプレー装置のノズルに対応して取着され、
ノズルの先端部を挿通可能な連通孔を有する底壁部と、
前記底壁部の周縁部から液体の噴出方向に向けて延びる突出部とを備え、
前記突出部は、圧縮空気供給源と連通し、当該圧縮空気供給源からの空気を液体の噴出流に向けて案内することで液体のスプレーパターンを形成する空気孔を具備するスプレー用キャップにおいて、
前記突出部は、前記空気孔の形成位置よりも前記底壁部側において、前記圧縮空気供給源と連通し、当該圧縮空気供給源からの空気を前記連通孔及びその周縁部のうち少なくとも一方に向けて案内するエアパージ孔を具備することを特徴とするスプレー用キャップ。
【請求項３】
前記エアパージ孔を、前記連通孔を中心とする対称位置に配置したことを特徴とする請求項１又は２に記載のスプレー用キャップ。
【請求項４】
噴出される空気が液体の噴出方向に逆行しない向きに噴出されるよう前記エアパージ孔が構成されていることを特徴とする請求項１乃至３のいずれかに記載のスプレー用キャップ。
【発明の詳細な説明】
【技術分野】
【０００１】
本発明は、ワークに対して液体を噴霧化して吹付けるスプレー装置のノズルに対応して取着されるスプレー用キャップに関するものである。
【背景技術】
【０００２】
一般に、ガラスラン等に代表されるウエザストリップのリップ部等のガラス摺動面には、ウレタン塗膜等が形成される。ガラス摺動面にウレタン塗膜等が形成されることで、リップ部等の耐久性が高められ、またガラス等に対する摺動性が高められ異音等の発生が抑制される。
【０００３】
また、上記ウレタン塗膜等の形成に際しては、ウレタン塗料等をスプレー塗布するためのスプレーガンが用いられる。図３に示すように、スプレーガンには、ノズル５１の先端部を囲むようにしてキャップ５２が設けられている。キャップ５２は、ノズル５１の先端部の外径よりも大きな径を有する連通孔５４が形成された底壁部５３と、該底壁部５３の周縁部から塗料の噴出方向に向けて延びる突出部５５とを備えており、連通孔５４にノズル５１の先端部が挿通されている。また、連通孔５４は、圧縮空気供給源と連通しており、ノズル５１の先端部から塗料が噴出される場合には、連通孔５４の内周とノズル５１の外周との間に形成される隙間から圧縮空気が噴出されるようになっている。このように塗料とともに圧縮空気が噴出されることにより、塗料が噴霧化されることとなる。
【０００４】
また、突出部５５には、圧縮空気供給源と連通し、当該圧縮空気供給源からの空気を塗料の噴出流に向けて案内する空気孔５７が形成されている。当該空気孔５７から噴出される空気によって、噴霧化された塗料のスプレーパターンが形成される（例えば、特許文献１参照。）。
【特許文献１】特開２０００−３４３００４号公報
【発明の開示】
【発明が解決しようとする課題】
【０００５】
しかしながら、上記のようにスプレーガンを用いてワークとしてのガラスラン５９にスプレー塗装を施す場合には、図３の二点鎖線で示すように、ノズル５１から噴出された塗料がガラスラン５９に当たって跳ね返り、キャップ５２の連通孔５４周縁部に付着してしまうおそれがある。この場合、キャップ５２の連通孔５４周縁部に付着した塗料６０が、噴霧状とならずに塊のままガラスラン５９に吹付けられるおそれがあり、塗装斑の発生が懸念される。
【０００６】
本発明は上記事情に鑑みてなされたものであり、その目的は、ノズルの先端部から噴出される塗料等の液体が、ワークに当たって跳ね返り、キャップの連通孔周縁部に付着してしまうといったおそれを防止することのできるスプレー用キャップを提供することにある。
【課題を解決するための手段】
【０００７】
以下、上記目的等を解決するのに適した各手段につき項分けして説明する。なお、必要に応じて対応する手段に特有の作用効果等を付記する。
【０００８】
手段１．ワークに対して液体を噴霧化して吹付けるスプレー装置のノズルに対応して取着されるスプレー用キャップであって、
ノズルの先端部を挿通可能な連通孔を有する底壁部と、
前記底壁部の周縁部から液体の噴出方向に向けて延びる突出部とを備え、
前記突出部は、圧縮空気供給源と連通し、当該圧縮空気供給源からの空気を前記連通孔及びその周縁部のうち少なくとも一方に向けて案内するエアパージ孔を具備することを特徴とするスプレー用キャップ。
【０００９】
手段１によれば、液体の噴出時において、圧縮空気供給源からの空気をエアパージ孔から連通孔周縁部に向けて噴出させることができる。このエアパージ孔から噴出される空気により、ワークに当たって跳ね返ってきた液体を、当該液体が連通孔周縁部やノズル先端部に付着する前に吹き飛ばすことができる。従って、連通孔周縁部やノズル先端部に付着した液体が噴霧状とならずに塊のままワークに吹付けられてしまうといったおそれを回避することができる。尚、ノズルの先端部から噴出される液体としては、塗料や薬剤等が挙げられる。
【００１０】
手段２．ワークに対して液体を噴霧化して吹付けるスプレー装置のノズルに対応して取着され、
ノズルの先端部を挿通可能な連通孔を有する底壁部と、
前記底壁部の周縁部から液体の噴出方向に向けて延びる突出部とを備え、
前記突出部は、圧縮空気供給源と連通し、当該圧縮空気供給源からの空気を液体の噴出流に向けて案内することで液体のスプレーパターンを形成する空気孔を具備するスプレー用キャップにおいて、
前記突出部は、前記空気孔の形成位置よりも前記底壁部側において、前記圧縮空気供給源と連通し、当該圧縮空気供給源からの空気を前記連通孔及びその周縁部のうち少なくとも一方に向けて案内するエアパージ孔を具備することを特徴とするスプレー用キャップ。
【００１１】
手段２によれば、上記手段１と同様の作用効果が奏される。また、空気孔から噴出される空気により、噴霧化された液体が広がり過ぎないように（例えば、楕円形状に）液体のスプレーパターンを形成することができる。尚、空気孔から噴出される空気によっても、多少はワークに当たって跳ね返ってきた液体を吹き飛ばすことができるが、空気孔から噴出される空気は液体のスプレーパターンを形成するためのものであるので、連通孔周縁部への液体の付着を完全に防ぐことは困難である。また、空気孔から噴出される空気の流速を高めた場合には、より多くの液体を吹き飛ばすことができるが、所望とするスプレーパターンを形成できなくなってしまうおそれがある。これに対し、本手段のように、空気孔よりも連通孔の近くにエアパージ孔を形成することによって、空気孔から噴出される空気の流速を高めることなく、圧縮空気供給源からの空気を連通孔に対して確実にかつ強く当てることができる。結果として、スプレーパターンを所望の形状に維持しつつ、跳ね返ってきた液体の連通孔周縁部への付着を確実に防止することができる。
【００１２】
手段３．前記エアパージ孔を、前記連通孔を中心とする対称位置に配置したことを特徴とする手段１又は２に記載のスプレー用キャップ。
【００１３】
例えば、エアパージ孔が１つの場合には、液体の噴出流が壁となって、連通孔の周縁部においてエアパージ孔から噴出された空気が届かない部位ができてしまい、この部位においては、依然として跳ね返ってきた液体が付着するおそれがある。この点、本手段３のように、エアパージ孔を、連通孔を中心とする対称位置に配置することで、上記不具合を回避することができる。また、エアパージ孔から噴出される空気によって液体のスプレーパターンが偏心してしまうといったおそれを回避することができる。
【００１４】
手段４．噴出される空気が液体の噴出方向に逆行しない向きに噴出されるよう前記エアパージ孔が構成されていることを特徴とする手段１乃至３のいずれかに記載のスプレー用キャップ。
【００１５】
例えば、エアパージ孔から噴出される空気が液体の噴出方向に逆行する向きに噴出される場合、液体を逆流させてしまったり、液体の噴出の勢いを弱めてしまったりするおそれがある。この点、本手段４によれば、液体の噴出方向に逆行しない向きにエアパージ孔から空気が噴出されるため、上記不具合を回避することができる。
【００１６】
尚、前記底壁部は、液体の噴出方向に向けて次第に小径となるテーパ状に構成されるとともに、その先端部に前記連通孔が形成され、前記連通孔を、前記エアパージ孔よりも液体の噴出方向側に位置させることとしてもよい。この場合、エアパージ孔から噴出される空気を、ワークに当たって跳ね返ってきた液体を押戻す方向に噴出させることができ、ワークに当たって跳ね返ってきた液体を、当該液体が連通孔周縁部に付着する前に吹き飛ばすといった上記作用効果がより確実に奏される。
【発明を実施するための最良の形態】
【００１７】
以下に、一実施形態について図面を参照しつつ説明する。図１はガラスランにウレタン塗膜を形成するスプレーガンの構成を示す模式図である。図２はキャップを中心とするスプレーガンの先端部の構成を示す断面図である。
【００１８】
自動車用ドアにはドアガラス開口部の外周に対応してガラスラン１１が取付けられるようになっている。図１に示すように、ガラスラン１１は、基部１２及び該基部１２から延びる車外側側壁部１３、車内側側壁部１４を具備している。また、各側壁部１３，１４の略先端からそれぞれ内側に延びるようにして、車外側シールリップ１５及び車内側シールリップ１６が一体形成されている。これら両シールリップ１５，１６によりドアガラスの周縁部の車内側及び車外側がシールされる。
【００１９】
本実施形態では、車外側シールリップ１５表面、車内側シールリップ１６表面及び基部１２底面のガラス摺動面に対し、それぞれウレタン塗膜が形成される。このようにガラス摺動面にウレタン塗膜が形成されることにより、被塗膜部位の耐久性が高められるとともに、ドアガラス等に対する摺動性が高められ異音等の発生が抑制されるようになっている。
【００２０】
ガラスラン１１に形成されるウレタン塗膜は、遠隔操作に基づいて制御されるスプレーガン３１によって行われる。図１、図２に示すように、スプレーガン３１は、スプレーガン本体３２と、スプレーガン本体３２の先端部に設けられたノズル３３（図２参照）と、ノズル３３の先端部を囲むようにして設けられたスプレー用キャップとしてのキャップ３４とを備えている。尚、スプレーガン３１は、水平方向に移送されるガラスラン１１に対して直交する方向、つまり、鉛直方向に延びている。ノズル３３は、スプレーガン本体３２を介して塗料供給源（図示略）と連通しており、ノズル３３の先端部からは、ガラスラン１１に対し、直交する方向へウレタン塗料がスプレー塗布されるようになっている。また、スプレーガン３１（スプレーガン本体３２）は、ガラスラン１１から所定の高さ位置に設置されており、前記鉛直状態を維持しつつ、幾分傾動調整可能に設けられている。
【００２１】
キャップ３４は、ノズル３３の先端部を挿通する連通孔４２が形成された底壁部４１と、底壁部４１の全周縁部から塗料の噴出方向に向けて延びる突出部としての側壁部４３とを備えている。
【００２２】
底壁部４１は、塗料の噴出方向側に向けて次第に小径となるテーパ状に構成されており、その先端部たる中心部に連通孔４２が形成されている。本実施形態では、塗料の噴出方向に対して、底壁部４１のテーパ面が１００度〜１１０度程度傾いている。
【００２３】
連通孔４２は、スプレーガン本体３２を介して圧縮空気供給源（図示略）と連通している。以下、圧縮空気供給源から連通孔４２に至るまでの霧化エアの流路を流路Ｚと称することとする。連通孔４２の内周とノズル３３の先端部の外周との間には隙間がリング状に形成されている。ノズル３３の先端部から塗料が噴出される場合には、連通孔４２の内周とノズル３３の外周との間に形成された隙間から圧縮空気が噴出されるようになっている。また、連通孔４２の周囲の２ヶ所にも、上記霧化エアの流路Ｚに連通している孔４７が形成されている。このように塗料の噴出とともに、圧縮空気が流路Ｚを介して噴出されることにより、塗料が噴霧化されることとなる。
【００２４】
側壁部４３は、その内面が、塗料の噴出方向に向けて次第に広がるテーパ状となっている。側壁部４３の内面には、連通孔４２を中心として相対する一対の空気孔４５が設けられている。空気孔４５は、スプレーガン本体３２を介して圧縮空気供給源と連通しており、当該圧縮空気供給源からの空気を塗料の噴出流に向けて案内する。以下、圧縮空気供給源から空気孔４５に至るまでのパターンエアの流路を流路Ｙと称することとする。当該一対の空気孔４５から噴出される空気によって、噴霧化された塗料のスプレーパターンが楕円形に形成される。また、空気孔４５の直径は２ｍｍとなっており、該空気孔４５から噴出される空気の噴出方向は、塗料の噴出方向に対して６０度〜７０度傾いている。
【００２５】
さて、本実施形態では、側壁部４３の内面には、空気孔４５の形成部位よりも底壁部４１側において、連通孔４２を中心として相対する一対のエアパージ孔４６が形成されている。エアパージ孔４６は、上記流路Ｙを介して圧縮空気供給源と連通し、当該圧縮空気供給源からの空気を連通孔４２の周縁部に向けて案内する。本実施形態では、エアパージ孔４６は、側壁部４３と底壁部４１との境界部近傍に設けられており、連通孔４２の先端部よりもスプレーガン本体３２側に位置している。エアパージ孔４６から噴出される空気の噴出方向は、塗料の噴出方向に対して６０度〜７０度傾いており、本実施形態では、エアパージ孔４６から噴出される空気が底壁部４１の表面に沿うようにして流れるようになっている。また、エアパージ孔４６の直径が１．２ｍｍとなっており、空気孔４５から噴出される空気の流速とエアパージ孔４６から噴出される空気の流速とがほぼ同じとなるように設定されている。
【００２６】
尚、連通孔４２、空気孔４５、及びエアパージ孔４６は共通の圧縮空気供給源と連通している。すなわち、スプレーガン本体３２の内部において、圧縮空気供給源から供給される空気が、キャップ３４の連通孔４２に向かう流路Ｚと、側壁部４３に向かう流路Ｙとに分岐される。さらに、流路Ｙの空気は、キャップ３４の側壁部４３内部において、空気孔４５に向かう空気と、エアパージ孔４６に向かう空気とに分岐される。また、スプレーガン本体３２の内部において、側壁部４３に向う空気量を調節可能に構成されており、スプレーパターンの開き量が調節可能となっている。
【００２７】
ここで、塗料の噴出時における本実施形態の作用効果について説明する。図２に示すように、塗料の噴出時においては、連通孔４２及び孔４７からも空気が噴出される。この連通孔４２及び孔４７から噴出される空気によって、塗料が拡散し噴霧化される。また、塗料の噴出時においては、空気孔４５から塗料の噴出流に向けて空気が噴出される。尚、空気孔４５から噴出された空気は、キャップ３４の先端部付近で塗料の噴出流にぶつかることとなる。この空気孔４５から噴出される空気によって噴霧化された塗料の拡散が抑制され、所望のスプレーパターンが形成される。
【００２８】
さらに、塗料の噴出時においては、エアパージ孔４６から連通孔４２周縁部に向けて空気が噴出される。このエアパージ孔４６から噴出される空気により、ガラスラン１１に当たって跳ね返ってきた塗料を、当該塗料が連通孔４２周縁部やノズル３３先端部に付着する前に吹き飛ばすことができる。従って、連通孔４２周縁部やノズル３３先端部に付着した塗料が噴霧状とならずに塊のままガラスラン１１に吹付けられてしまうといったおそれを回避することができる。結果として、塗装斑の発生を防止することができる。
【００２９】
例えば、空気孔４５から噴出される空気によって、ガラスラン１１に当たって跳ね返ってきた塗料を吹き飛ばそうとした場合、空気孔４５から噴出される空気の流速を高めなければ、十分に連通孔４２周縁部への液体の付着を完全に防ぐことは困難である。また、空気孔４５から噴出される空気の流速を高めた場合には、より多くの塗料を吹き飛ばすことができるが、所望とするスプレーパターンを形成できなくなってしまうおそれがある。これに対し、本実施形態のように、空気孔４５よりも連通孔４２の近くにエアパージ孔４６を形成することによって、空気孔４５から噴出される空気の流速を高めることなく、圧縮空気供給源からの空気を連通孔４２に対して確実にかつ強く当てることができる。結果として、スプレーパターンを所望の形状に維持しつつ、跳ね返り塗料の連通孔４２周縁部への付着を防止することができる。
【００３０】
また、例えば、エアパージ孔４６が１つの場合には、塗料の噴出流が壁となって、連通孔４２の周縁部においてエアパージ孔４６から噴出された空気が届かない部位ができてしまい、この部位においては、依然として跳ね返り塗料が付着するおそれがある。この点、本実施形態では、エアパージ孔４６が、連通孔４２を中心として相対する位置に一対で設けているため、上記不具合を回避することができる。また、エアパージ孔４６から噴出される空気によってスプレーパターンが偏心してしまうといったおそれを回避することができる。
【００３１】
また、本実施形態では、エアパージ孔４６が連通孔４２よりもスプレーガン本体３２側に位置しているため、エアパージ孔４６から噴出される空気は、塗料の噴出方向と逆行しない向きに噴出されることとなる。従って、例えば、エアパージ孔４６から噴出される空気によって塗料を逆流させてしまったり、塗料の噴出の勢いを弱めてしまったりするといったおそれを回避することができる。結果として、ガラスラン１１に当たって跳ね返ってきた塗料を、当該塗料が連通孔４２周縁部に付着する前に吹き飛ばすといった上記作用効果がより確実に奏される。
【００３２】
尚、上記実施形態の記載内容に限定されず、例えば次のように実施してもよい。勿論、以下において例示しない他の応用例、変更例も当然可能である。
【００３３】
（ａ）上記実施形態では、キャップ３４が取着される対象として遠隔操作に基づいて制御されるスプレーガン３１を例示しているが、特にこれに限定されるものではない。例えば、トリガを有する手吹き式のスプレーガンのノズルに対応してキャップ３４を取着してもよいし、着色塗料や殺虫剤等の薬剤をスプレーするスプレー缶のノズルに対応してキャップ３４を取着してもよい。もちろん、ワークとしては、ガラスランに限られるものではなく、スプレーする液体によって様々なものが対象とされる。
【００３４】
（ｂ）上記実施形態では、エアパージ孔４６が連通孔４２よりもスプレーガン本体３２側に位置するよう構成されているが、特にこのような構成に限定されるものではなく、エアパージ孔４６から噴出される空気が、連通孔４２又はその周縁部に向けて吹出されるようになっていればよい。但し、エアパージ孔４６から吹出される空気によって、塗料の噴出が阻害されないように、エアパージ孔４６から吹出される空気の噴出方向が、塗料の噴出方向に対して逆行しない向きとなっていることが望ましい。例えば、塗料の噴出方向において、エアパージ孔４６と連通孔４２とを同じ高さ位置とし、エアパージ孔４６から塗料の噴出方向と直交する方向に空気を噴出する構成としてもよい。
【００３５】
（ｃ）エアパージ孔４６の数や形状等は特に限定されるものではなく、例えば、連通孔４２を中心として３つのエアパージ孔４６を均等位置に設けてもよい。また、例えば、エアパージ孔を、底壁部４１を囲むようにしてリング状に形成してもよい。
【００３６】
（ｄ）上記実施形態では、突出部としての側壁部４３が底壁部４１の全周縁部から延出しているが、特にこのような構成に限定されるものではない。例えば、底壁部４１の周縁部から液体の噴出方向に向けて延びる棒状の突出部を、連通孔４２を中心として相対向する位置に複数設けてもよい。
【００３７】
（ｅ）上記実施形態では、ノズル３３の先端部が連通孔４２に挿通されているが、ノズル３３の先端部が連通孔４２よりもスプレーガン本体３２側に位置するよう構成してもよい。
【図面の簡単な説明】
【００３８】
【図１】ガラスランにウレタン塗膜を形成するスプレーガンの構成を示す模式図である。
【図２】スプレーガンの先端部の構成を示す断面図である。
【図３】従来のスプレーガンの先端部の構成を示す正面図である。
【符号の説明】
【００３９】
１１…ガラスラン、１２…基部、１５，１６…シールリップ、３１…スプレーガン、３３…ノズル、３４…キャップ、４１…底壁部、４２…連通孔、４３…側壁部、４５空気孔、４６…エアパージ孔。
【図１】
2007196134.tif 000003
【図２】
2007196134.tif 000004
【図３】
2007196134.tif 000005